(57)【特許請求の範囲】
【請求項１】
発光部が直線状となる棒状に形成された第１照明器具と、発光部が直線状となる棒状に形成され、前記第１照明器具に対して平行であるとともに該第１照明器具に対して側方に向けて間隔を空け、且つ、互いの発光部が所定範囲で重複するように長手方向にずらして配置された第２照明器具と、を有する照明システムと、
第１天井面と該第１天井面に対して上階側または下階側にずれた第２天井面とで形成された段差を有する天井面と、
前記第１天井面および前記第２天井面のうち下方側となる天井面に沿って当該天井面から側方に向けて張り出し、前記第１天井面および前記第２天井面のうち上方側となる天井面に間隔を空けて重ねて配置される板状の張出し部と、を有し、
前記第１天井面および前記第２天井面のうち上方側となる天井面と前記張出し部との間に前記照明システムが配置されており、
前記張出し部は、前記天井面の隣接する２辺に対応した角部を有するように設けられており、
前記照明システムは、前記角部において、前記第１照明器具および前記第２照明器具のうち奥側の照明器具同士が隣接または連続し、手前側の照明器具同士が離隔するように構成されていることを特徴とする建物。
【請求項２】
前記発光部が、複数の発光ダイオードを直線状に並べて構成されていることを特徴とする、請求項１に記載の建物。
【請求項３】
前記発光部が、放電ガス灯にて構成されていることを特徴とする請求項１に記載の建物。
【請求項４】
前記第１照明器具の長さと前記第２照明器具の長さが同一であることを特徴とする請求項１〜３の何れか１項に記載の建物。
【請求項５】
前記第１照明器具に対して長手方向に間隔を空けて直線状に並べて配置される第３照明器具をさらに有し、
前記第２照明器具の発光部が、長手方向の一方側において前記第１照明器具の発光部に重複し、長手方向の他方側において前記第３照明器具の発光部に重複することを特徴とする、請求項１〜４の何れか１項に記載の建物。
【請求項６】
前記第２照明器具の発光部が長手方向の一方側において前記第１照明器具の発光部と重複する長さと、前記第２照明器具の発光部が長手方向の他方側において前記第３照明器具の発光部と重複する長さとが等しいことを特徴とする、請求項５に記載の建物。
【請求項７】
前記張出し部の壁に面する長手方向端部において、前記第１照明器具の長手方向端部が前記壁に隣接していることを特徴とする、請求項１〜６の何れか１項に記載の建物。
【請求項８】
前記第１照明器具の長手方向端部が前記壁に対して３０ｃｍ以下の間隔で隣接していることを特徴とする、請求項７に記載の建物。
【請求項９】
前記第１照明器具の長手方向端部が前記壁に対して２０ｃｍ以下の間隔で隣接していることを特徴とする、請求項７に記載の建物。
【請求項１０】
前記第１照明器具の長手方向端部が前記壁に対して１０ｃｍ以下の間隔で隣接していることを特徴とする、請求項７に記載の建物。
【請求項１１】
前記第１照明器具の長手方向端部が前記壁に対して５ｃｍ以下の間隔で隣接していることを特徴とする、請求項７に記載の建物。
【発明の詳細な説明】
【技術分野】
【０００１】
本発明は、例えば住宅等の建物に関し、特に、複数の照明器具から成る照明システムを備えた建物に関する。
【背景技術】
【０００２】
従来から、住宅等の建物の照明として、天井や壁等に設置される直接照明や間接照明等の種々の照明システムが利用されている。例えば特許文献１には、居室の天井を折上げ天井（二重天井）に構成し、その折上げ天井の外周縁部分に天井面から張り出すとともに折り上げられた天井面に対して間隔を空けて重なる張出し部を設け、この張出し部の上面に照明器具を配置して当該居室に対する間接照明システムを構成するようにした建物が記載されている。
【０００３】
上記間接照明システムのように、細長い領域に照明器具を設置し、当該照明器具によって広い範囲に光を照射させる必要がある場合には、照明器具として、例えば複数のＬＥＤ光源を直線状に並べて１つのユニットとした棒状のＬＥＤ灯や棒状の蛍光灯など、発光部が所定長さの直線状の棒状光源からなるものを用いるのが一般的である。
【先行技術文献】
【特許文献】
【０００４】
【特許文献１】特開２００４−０１１１５４号公報
【発明の概要】
【発明が解決しようとする課題】
【０００５】
従来、棒状の照明器具を用いた照明システムにおいては、より長手方向に向けた広い範囲に光を照射する必要がある場合には、複数の棒状の照明器具を長手方向に間隔を空けて並べて配置するようにしていた。
【０００６】
しかしながら、棒状の照明器具は、電極等が設けられることにより長手方向の両端部が発光しない構成のものが多く、このような棒状の照明器具を長手方向に間隔を空けて並べて配置した構成とすると、隣り合う照明器具の間に光が照射されない部分が生じて天井面等を均一に照らすことができないという問題点があった。
【０００７】
本発明は、このような点を解決することを課題とするものであり、その目的は、複数の棒状の照明器具により光をムラなく照射することができる照明システムを備えた建物を提供することにある。
【課題を解決するための手段】
【０００８】
本発明の建物は、発光部が直線状となる棒状に形成された第１照明器具と、発光部が直線状となる棒状に形成され、前記第１照明器具に対して平行であるとともに該第１照明器具に対して側方に向けて間隔を空け、且つ、互いの発光部が所定範囲で重複するように長手方向にずらして配置された第２照明器具と、を有する照明システムと、第１天井面と該第１天井面に対して上階側または下階側にずれた第２天井面とで形成された段差を有する天井面と、前記第１天井面および前記第２天井面のうち下方側となる天井面に沿って当該天井面から側方に向けて張り出し、前記第１天井面および前記第２天井面のうち上方側となる天井面に間隔を空けて重ねて配置される板状の張出し部と、を有し、前記第１天井面および前記第２天井面のうち上方側となる天井面と前記張出し部との間に前記照明システムが配置されており、前記張出し部は、前記天井面の隣接する２辺に対応した角部を有するように設けられており、前記照明システムは、前記角部において、前記第１照明器具および前記第２照明器具のうち奥側の照明器具同士が隣接または連続し、手前側の照明器具同士が離隔するように構成されていることを特徴とする。
【０００９】
本発明の建物は、上記構成において、前記発光部が、複数の発光ダイオードを直線状に並べて構成されているのが好ましい。
【００１０】
本発明の建物は、上記構成において、前記発光部が、放電ガス灯にて構成されているのが好ましい。
【００１１】
本発明の建物は、上記構成において、前記第１照明器具の長さと前記第２照明器具の長さが同一であるのが好ましい。
【００１２】
本発明の建物は、上記構成において、前記第１照明器具に対して長手方向に間隔を空けて直線状に並べて配置される第３照明器具をさらに有し、前記第２照明器具の発光部が、長手方向の一方側において前記第１照明器具の発光部に重複し、長手方向の他方側において前記第３照明器具の発光部に重複するのが好ましい。
【００１３】
本発明の建物は、上記構成において、前記第２照明器具の発光部が長手方向の一方側において前記第１照明器具の発光部と重複する長さと、前記第２照明器具の発光部が長手方向の他方側において前記第３照明器具の発光部と重複する長さとが等しいのが好ましい。
【００１５】
本発明の建物は、上記構成において、前記張出し部の壁に面する長手方向端部において、前記第１照明器具の長手方向端部が前記壁に隣接しているのが好ましい。
【００１６】
本発明の建物は、上記構成において、前記第１照明器具の長手方向端部が前記壁に対して３０ｃｍ以下の間隔で隣接しているのが好ましい。
【００１７】
本発明の建物は、上記構成において、前記第１照明器具の長手方向端部が前記壁に対して２０ｃｍ以下の間隔で隣接しているのが好ましい。
【００１８】
本発明の建物は、上記構成において、前記第１照明器具の長手方向端部が前記壁に対して１０ｃｍ以下の間隔で隣接しているのが好ましい。
【００１９】
本発明の建物は、上記構成において、前記第１照明器具の長手方向端部が前記壁に対して５ｃｍ以下の間隔で隣接しているのが好ましい。
【発明の効果】
【００２１】
本発明によれば、棒状に形成された一方の照明器具に対し、棒状に形成された他方の照明器具を、一方の照明器具に対して平行であるとともに当該照明器具に対して側方に向けて間隔を空け、且つ、互いの発光部が所定範囲で重複するように長手方向にずらして配置するようにしたので、複数の照明器具をその発光部が互いに長手方向に間隔を生じない配置として、これら複数の棒状の照明器具により光をムラなく照射することができる。
【００２２】
このように、本発明によれば、複数の棒状の照明器具により光をムラなく照射することができる照明システムを備えた建物を提供することができる。
【図面の簡単な説明】
【００２３】
【図１】本発明の一実施の形態である建物を模式的に示す図である。
【図２】図１に示す建物の天井の段差部分を拡大して示す図である。
【図３】張出し部への照明器具の配置の一例を模式的に示す図である。
【図４】図３に示す張出し部への照明器具の配置の変形例を示す図である。
【図５】図２に示す張出し部の変形例を示す図である。
【発明を実施するための形態】
【００２４】
以下、図面を参照して、本発明をより具体的に例示説明する。
【００２５】
図１に示す本発明の一実施の形態である建物１は、鉄骨造の軸組みを有する三階建ての工業化住宅であり、一階部分２、二階部分３および三階部分４の３つの階層を有している。一階部分２と二階部分３は床スラブ５で隔てられ、二階部分３と三階部分４は床スラブ６で隔てられている。床スラブ５は建物１の二階部分３の床の荷重を支持する床構造であり、床スラブ６は建物１の三階部分４の床の荷重を支持する床構造である。
【００２６】
詳細は図示しないが、この建物１の一階部分２には玄関や納戸、浴室等が設けられ、二階部分３にはリビングルーム（居間）、ダイニングルーム（食事室）およびキッチン（台所）等が設けられ、三階部分４には寝室等の居室が設けられる。また、二階部分３には、床スラブ６の一部が切り欠かれることにより三階部分４の天井面４ａにまで達する吹抜け７が設けられている。
【００２７】
このような建物１において、照明システムＳは、天井の段差部分に設けられた張出し部１０に配置するようにしている。以下ではまず、天井の段差部分の構成および張出し部１０の構成について説明する。
【００２８】
この建物１では、二階部分３と三階部分４とを隔てる床スラブ６の一部を他の部分に対して上階側にずらして二階部分３の天井高つまり床面３ｂから天井面３ａまでの高さを部分的に高めるようにしている。二階部分３の天井高を、例えばリビングルーム等の居室が設けられる領域において部分的に高めることにより、当該居室に開放感を与え、これにより居室を広く感じさせてその快適性を高めることができる。
【００２９】
より具体的に説明すると、床スラブ６は、この建物１の躯体に基準の高さで支持されて床スラブ６の一部を構成する第１スラブ部６ａと、この第１スラブ部６ａに対して上階側つまり三階部分４の側に所定高さだけずれて配置される第２スラブ部６ｂとを有している。
【００３０】
第２スラブ部６ｂは、例えば、床スラブ６の建物１の鉄骨造の躯体のグリッドに合わせた領域に設けることができる。このような構成により、第２スラブ部６ｂを躯体に簡単な構成で確実に支持させることができる。また、この場合、第１スラブ部６ａを支持する梁の上方に他の梁を重ねて配置し、当該上方側に重ねた梁により第２スラブ部６ｂを支持させる構成とすることができる。このような構成により、簡単な構成で第２スラブ部６ｂを第１スラブ部６ａよりも上階側において確実に躯体に支持させることができる。
【００３１】
第１スラブ部６ａに対する第２スラブ部６ｂの上階側へのずらし量（シフト量）は、例えば３０ｃｍ程度に設定することができる。
【００３２】
第１スラブ部６ａと第２スラブ部６ｂは、床スラブ６の厚み（二階部分３の天井面３ａから三階部分４の床面４ｂまでの厚み）が略一定となる領域に設けられ、つまり第２スラブ部６ｂの厚みは第１スラブ部６ａの厚みと略同一となっている。
【００３３】
なお、図示する場合では、床スラブ６は、その全領域においてその厚みが一定となっているが、床スラブ６を厚みが一定の領域の他に厚みが相違する領域を有する構成のものとすることもできる。この場合、第１スラブ部６ａと第２スラブ部６ｂは、何れも床スラブ６の厚みが一定の領域に設けられることになる。
【００３４】
このように、この建物１では、床スラブ６の厚みが一定の領域の一部分を構成する第１スラブ部６ａに対して、第１スラブ部６ａと略同一の厚みの第２スラブ部６ｂを第１スラブ部６ａに対して上階側にずらすことにより、天井高が高められる領域の大きさや高さの制約を少なくし、且つ、床スラブ６の厚みを減らすことなく二階部分３の天井高を部分的に高めるようにしている。これにより、床スラブ６の厚みを所定の厚みに確保して二階部分３と三階部分４との間の床スラブ６による遮音性を確保しつつ二階部分３の所望の領域の天井高を部分的に高くすることができる。
【００３５】
第２スラブ部６ｂが第１スラブ部６ａに対して三階部分４の側に所定高さだけずれて配置されることにより、三階部分４の床面４ｂには、第１スラブ部６ａの上面により形成される第１床面４ｂ１と、第２スラブ部６ｂの上面により形成される第２床面４ｂ２とが設けられることになる。第２床面４ｂ２は、第１床面４ｂ１に対して上方にずれて当該第１床面４ｂ１に対して段差を有しており、一方で三階部分４の天井高は一定であるので、三階部分４の第２床面４ｂ２に対応する領域は第１床面４ｂ１に対応する領域よりも天井高が低くなる。したがって、第２床面４ｂ２は、例えば寝室や納戸などの天井高をあまり必要としない領域に設けられるようにするのが好ましい。
【００３６】
この建物１においては、キッチンは、上記のように第１スラブ部６ａに対して第２スラブ部６ｂがずらされることにより天井高が上げられることになる二階部分３に設けられる。このような構成とすることにより、キッチンとともに二階部分３に設けられるリビングルームやダイニングルーム等の居室の天井高を高めて、当該居室の快適性を高めることができる。
【００３７】
上記構成により二階部分３の天井高が高められると、二階部分３の天井面３ａには、第１スラブ部６ａの下面により形成される第１天井面３ａ１と、第２スラブ部６ｂの下面により形成される第２天井面３ａ２とが設けられることになる。第２天井面３ａ２は、第１天井面３ａ１に対して上方にずれて当該第１天井面３ａ１に対して段差を有しており、第１天井面３ａ１と第２天井面３ａ２との間はこれらの面に垂直な連結面３ａ３によって互いに連結されている。このように、第２スラブ部６ｂを第１スラブ部６ａに対して上階側にずらして天井高を高めることにより、二階部分３の天井面３ａには、第１天井面３ａ１と第１天井面３ａ１よりも高い第２天井面３ａ２とからなる段差が生じることになる。
【００３８】
上記のように、二階部分３の天井面３ａが、第１天井面３ａ１と第２天井面３ａ２とが連結面３ａ３により連結された単純形状の段差を有する形状であると、この段差により空間に不連続感が生じて天井の美観が損なわれることになる。そこで、この建物１では、第１天井面３ａ１および第２天井面３ａ２のうち下方側となる第１天井面３ａ１の側部に、当該第１天井面３ａ１に沿って側方に向けて張り出す張出し部１０を設けて、当該天井の美観を高めるようにしている。
【００３９】
図２、図３に示すように、張出し部１０は第１天井面３ａ１の外周縁に沿って延びる長い板状に形成されており、下面１０ａが第１天井面３ａ１と同一面を形成するように第１天井面３ａ１および第２天井面３ａ２に対して平行に配置されて、その側辺部分において第１スラブ部６ａの側部に固定されている。また、張出し部１０の厚みは第１天井面３ａ１と第２天井面３ａ２との段差（高さの差）よりも小さくなっており、これにより張出し部１０は第２天井面３ａ２に対して間隔を空けて重ねて配置されている。図示する場合では、張出し部１０は、第１張出し部１０Ａと第１張出し部１０Ａに対して直角に曲げて連結された第２張出し部１０Ｂとを有するＬ字形状に形成されている。
【００４０】
このように、この建物１では、第１天井面３ａ１と第２天井面３ａ２との段差部分に張出し部１０を設けるようにしたので、天井面３ａに単純な段差が設けられる場合に比べて当該段差部分における空間の連続感を高めて、当該天井の美観を高めることができる。
【００４１】
張出し部１０は、例えば、板状の下地材の表面に石膏ボード等を貼り付けた構成とすることができる。この場合、第１スラブ部６ａを構成する下地材や石膏ボードを延長して張出し部１０を構成する下地材や石膏ボードと一体に形成することにより、張出し部１０を第１スラブ部６ａと一体に形成することもできる。これにより、張出し部１０を第１スラブ部６ａとともに容易に形成することができる。
【００４２】
張出し部１０の厚みは、例えば１２．５ｃｍ程度とすることができる。張出し部１０をこの程度の厚みとすることにより、第２天井面３ａ２との間に適度な間隔を保持しつつ所望の強度を確保することができる。
【００４３】
一方、図１に示すように、一階部分２と二階部分３とを隔てる床スラブ５の一部が他の部分に対して下階側にずらされることにより、二階部分３には、その床面２ｂの一部が部分的に下げられて当該領域における天井高が高められている。
【００４４】
より具体的に説明すると、床スラブ５は、この建物１の躯体に基準高さで支持されて床スラブ５の一部を構成する第１スラブ部５ａと、この第１スラブ部５ａに対して下階側つまり一階部分２の側に所定高さだけずれて（下げて）配置される第２スラブ部５ｂとを有している。
【００４５】
上記した第２スラブ部６ｂと同様に、第２スラブ部５ｂも、床スラブ５の建物１の鉄骨造の躯体のグリッドに合わせた領域に設けることができる。このような構成により、第２スラブ部５ｂを躯体に容易な構成で確実に支持させることができる。
【００４６】
第１スラブ部５ａに対する第２スラブ部５ｂの下階側へのずらし量（シフト量）は、例えば３０ｃｍ程度に設定することができる。
【００４７】
第１スラブ部５ａと第２スラブ部５ｂは、床スラブ５の厚み（一階部分２の天井面２ａから二階部分３の床面３ｂまでの厚み）が略一定となる領域に設けられ、つまり第２スラブ部５ｂの厚みは第１スラブ部５ａの厚みと略同一となっている。
【００４８】
このような構成により、第１スラブ部５ａの上面により形成される第１床面３ｂ１に対して、第２スラブ部５ｂの上面により形成される第２床面３ｂ２を下方側にずらして配置するようにして、当該第２床面３ｂ２の領域において床スラブ５の厚みを減らすことなく二階部分３の天井高を高めることができる。つまり、床スラブ５の厚みを確保して一階部分２と二階部分３との間の床スラブ５による遮音性を確保しつつ二階部分３の天井高を高くすることができる。この場合においても、第１スラブ部５ａと第２スラブ部５ｂは、何れも床スラブ５の厚みが一定の領域に設けられることになる。
【００４９】
なお、床スラブ５の第２スラブ部５ｂが第１スラブ部５ａに対して一階部分２の側に所定高さだけ下げて配置され、一方で一階部分２の床面２ｂは一定高さであるので、一階部分２の第２天井面２ａ２が設けられる領域は第１天井面２ａ１が設けられる領域よりも天井高が低くなる。したがって、第２天井面２ａ２は、例えば納戸などの天井高をあまり必要としない領域に設けられるようにするのが好ましい。
【００５０】
第２スラブ部５ｂを第１スラブ部５ａに対して下階側にずらして二階部分３の天井高を高めた構成とすると、一階部分２の天井面２ａには、第１スラブ部５ａの下面により形成される第１天井面２ａ１と、第２スラブ部５ｂの下面により形成される第２天井面２ａ２とが設けられることになる。第２天井面２ａ２は、第１天井面２ａ１に対して下方にずれて当該第１天井面２ａ１に対して段差を有しており、第１天井面２ａ１と第２天井面２ａ２との間はこれらの面に垂直な連結面２ａ３によって互いに連結されている。このように、一階部分２の天井面２ａには、第１天井面２ａ１と第１天井面２ａ１よりも低い第２天井面２ａ２とからなる段差が生じることになるが、この場合においても、第１天井面２ａ１および第２天井面２ａ２のうち下方側となる第２天井面２ａ２の側部に、当該第２天井面２ａ２に沿って側方に向けて張り出す張出し部１０を設けることで、当該天井の美観を高めるようにしている。
【００５１】
なお、一階部分２の第２天井面２ａ２の側部に設けられる張出し部１０の構成は、上記した二階部分３の第１天井面３ａ１の側部に設けられる張出し部１０の構成と基本的に同一であるので、その構成の詳細な説明は省略する。
【００５２】
本発明の建物１においては、図１に示すように、例えば二階部分３の天井面３ａに設けられた張出し部１０と第２天井面３ａ２との間および一階部分２の天井面２ａに設けられた張出し部１０と第１天井面２ａ１との間に、それぞれ照明システムＳを配置することができる。図示する場合では、張出し部１０は第１張出し部１０Ａおよび第２張出し部１０Ｂにより構成されるので、それぞれの張出し部１０Ａ、１０Ｂに照明システムＳが設けられることになる。
【００５３】
このように、照明システムＳを張出し部１０と第２天井面３ａ２との間および張出し部１０と第１天井面２ａ１との間に配置することにより、照明システムＳによって天井面２ａ１、３ａ２を照らして、当該天井面２ａ１、３ａ２に張出し部１０の影を生じにくくし、また、照明システムＳから当該天井面２ａ１、３ａ２に向けて照射される光により張出し部１０と天井面２ａ１、３ａ２との段差部分における空間の広がりを演出して、当該天井の美観を高めることができる。
【００５４】
張出し部１０と第２天井面３ａ２との間に配置される照明システムＳと張出し部１０と第１天井面２ａ１との間に配置される照明システムＳは同様の構成であるので、以下では、張出し部１０と第２天井面３ａ２との間に配置される照明システムＳに基づいて当該照明システムＳの構成について説明する。
【００５５】
本発明の建物１における照明システムＳは、以下の構成を有している。すなわち、図２、図３に示すように、照明システムＳは複数の照明器具２０を備えている。
【００５６】
これらの照明器具２０は、例えば複数の発光ダイオード（ＬＥＤ光源）を直線状に並べて１つのユニットとした棒状のＬＥＤ灯や、蛍光灯やネオン管等の棒状の放電ガス灯など、発光部が所定長さの直線状となる棒状に形成された棒状光源となっている。なお、照明器具２０は、発光部が直線状となる棒状の形態を有するものであれば、上記に限らず、種々の構成のものを用いることができる。
【００５７】
これらの照明器具２０は、一方の照明器具（第１照明器具）２０に対して、他方の照明器具（第２照明器具）２０が当該一方の照明器具２０に対して平行であるとともに当該一方の照明器具２０に対して側方に向けて間隔を空け、且つ、互いの発光部が所定範囲で重複するように長手方向にずれて配置される。図示するように、張出し部１０に３本以上の棒状の照明器具２０を配置する場合には、３本目の照明器具（第３照明器具）は、一方の照明器具（第１照明器具）２０に対して長手方向に間隔を空けて直線状に並ぶとともに、その発光部が他方の照明器具（第２照明器具）２０の発光部の長手方向の他方側に所定範囲で重複するように配置される。つまり、複数の照明器具２０は、２列に分けられ、互いの発光部が隣接する照明器具２０の発光部と所定範囲で重複するように一方の列と他方の列とに長手方向に向けて交互に配置される。照明器具２０が４本以上設けられる場合、上記と同様のパターンで各照明器具２０が互いの発光部が重複するように長手方向に順次ずれて配置される。
【００５８】
このような構成により、複数の照明器具２０をその発光部が互いに長手方向に間隔を生じない配置とすることができる。これにより、これら複数の照明器具２０により第２天井面３ａ２をムラなく照らすことができる。
【００５９】
なお、照明器具２０は、第２天井面３ａ２で反射した光によって室内空間を照らす間接照明としても機能する。
【００６０】
図２に示すように、照明器具２０は、張出し部１０の上面に取り付けられる構成とすることができる。このような構成とすることにより、照明器具２０を張出し部１０の上面に取付ける際に照明器具２０を張出し部１０の上に置いておくことができ、これにより照明器具２０を張出し部１０への取付け作業を容易にすることができる。
【００６１】
照明器具２０は、張出し部１０の上面に限らず、張出し部１０と第２天井面３ａ２との間に配置されていれば、連結面３ａ３や第２天井面３ａ２に取り付ける構成とすることもできる。これらの場合、照明器具２０の配線を床スラブ６の内部へ引き込み易くして、照明器具２０の設置作業を容易にすることができる。
【００６２】
上記した構成においては、複数本の棒状の照明器具２０として任意の長さのものを用いることができるが、互いに同一長さのものを用いるのが好ましい。これにより、張出し部１０の各部位に均等に照明器具２０を配置して、これら複数の照明器具２０により第２天井面３ａ２をムラなく照らすことができる。
【００６３】
また、張出し部１０に３本以上の棒状の照明器具２０を配置する場合には、それぞれの照明器具２０の発光部が長手方向の一端側において他の照明器具２０の発光部と重複する長さと、長手方向の他端側において他の照明器具２０の発光部と重複する長さとを同じ長さに設定するのが好ましい。これにより、それぞれの照明器具２０の発光部が互いに重複する部分における光量を均一化して、これら複数の照明器具２０により第２天井面３ａ２をさらにムラなく照らすことができる。
【００６４】
張出し部１０が長手方向端部において連結面３ａ３等を構成するに壁に面する場合には、照明システムＳを構成する複数の照明器具２０のうち、その最端部に配置される照明器具２０の長手方向の端部を、連結面３ａ３等の壁に隣接させて配置するのが好ましい。この場合、照明器具２０の長手方向の端部と連結面３ａ３等の壁との間隔は３０ｃｍ以下とするのが好ましく、２０ｃｍ以下とするのがより好ましく、１０ｃｍ以下とすればさらに好ましく、最も好ましいのは５ｃｍ以下である。このように、照明器具２０の長手方向の端部を連結面３ａ３等の壁に隣接させた配置とすることにより、張出し部１０の端部領域における光のムラを抑制して、天井の美観をより高めることができる。
【００６５】
なお、図３に示すように、張出し部１０が第１張出し部１０Ａ、第２張出し部１０Ｂによって角部を有する形状に形成されている場合には、張出し部１０のそれぞれの辺部分において最も角部の側に配置されている照明器具２０の長手方向の端部を、互いに隣接させて配置するのが好ましい。このような構成により、張出し部１０の角部においても、照明器具２０から適切な光量の光を照射させ、これにより張出し部１０の角部に対応した領域における光のムラを抑制して天井の美観をより高めることができる。
【００６６】
図４に変形例として示すように、張出し部１０が角部を有する形状に形成されている場合においては、張出し部１０の角部に対応する部分に、長手方向の中央部分において直角に曲がるＬ字形状のＬ字型照明器具２１を配置することもできる。このＬ字型照明器具２１は、例えば、複数のＬＥＤ光源をＬ字に並べて配列した構成のものとすることができる。このように、張出し部１０の角部にＬ字型照明器具２１を配置した構成とすることにより、張出し部１０の角部に対応した領域における光のムラをさらに抑制して天井の美観をより高めることができる。
【００６７】
各階層の天井面２ａ、３ａ、４ａは、種々の色や模様の壁紙を貼った構成とすることができるが、上記のように張出し部１０と第２天井面３ａ２との間に照明器具２０を配置した構成とした場合には、第２天井面３ａ２に貼る壁紙として白色系の壁紙を用いるのが好ましい。白色系の壁紙としては、例えば白色の壁紙、薄いベージュ色の壁紙などの光の反射率が高いものを採用することができる。また、白色系の壁紙は、光沢を有する素材で構成されているのがなお好ましい。このように、照明器具２０によって照らされる第２天井面３ａ２に貼る壁紙として白色系の壁紙を用いることにより、照明器具２０から第２天井面３ａ２に向けて照射された光を当該第２天井面３ａ２によって室内空間に向けて効率良く反射させて、照明器具２０により二階部分３の室内空間をより明るく照らすことができる。
【００６８】
また、上記のように張出し部１０と第２天井面３ａ２との間に照明器具２０を配置した構成とした場合には、第２天井面３ａ２に貼る壁紙として、表面に粗面処理が施されたものを用いるのが好ましい。粗面処理が施された壁紙としては、例えば、所定のパターンの模様やランダムな模様等が表面に凹凸を有して施されたものを採用することができる。照明器具２０により照らされる第２天井面３ａ２に貼る壁紙として、粗面処理が施された壁紙を用いることにより、照明器具２０から第２天井面３ａ２に照射された光により第２天井面３ａ２に粗面処理に対応した光の陰影を生じさせて、天井部分の美観をより高めることができる。
【００６９】
図５に示すように、張出し部１０は、その外周縁に上方に向けて突出する隠し壁１０ｂを備えた構成とすることもできる。この場合、隠し壁１０ｂは少なくとも照明器具２０と同程度の高さにまで上方に向けて突出して照明器具２０の側方を覆う構成とされるのが好ましい。このような隠し壁１０ｂを設けることにより、照明器具２０が発する光が直接室内の空間に照射されることを防止するとともに照明器具２０が室内空間から目視されることを防止して、当該天井の美観をより高めることができる。なお、隠し壁１０ｂは図示する形状に限らず、照明器具２０の側方を覆って上記効果を生じることができる形状であれば、種々の形状とすることができる。
【００７０】
上記構成の照明システムＳは、上記した二階部分３の天井面３ａに設けられた張出し部１０と第２天井面３ａ２との間および一階部分２の天井面２ａに設けられた張出し部１０と第１天井面２ａ１との間に限らず、建物１の種々の部位に配置することができる。
【００７１】
例えば、図１に示すように、吹抜け７に連なる床スラブ６の端部に張出し部１０と同様の形状の突出壁部３０を設け、この突出壁部３０の上面に照明システムＳを設けた構成とすることもできる。この場合においても、照明システムＳを構成する複数の照明器具２０は、図３に示すのと同様の配置で突出壁部３０の上面に配置することができる。このような突出壁部３０に照明システムＳを設けることにより、照明システムＳによって吹上げ７の空間をムラなく照らすことができるとともに、床スラブ６と吹抜け７との境界部分における天井と、張出し部１０が設けられる部分における天井とのデザインの一体感を高めて、当該天井の美観をより高めることができる。
【００７２】
また、図１に示すように、一階部分２の壁２ｃをその一部が凹んだ形状に形成し、その凹みの外周縁に張出し部１０と同様の形状の突出壁部３１を当該壁２ｃに面した垂直姿勢で設け、この突出壁部３１の内面に照明システムＳを設けた構成とすることもできる。この場合においても、照明システムＳを構成する複数の照明器具２０は、図３に示すのと同様の配置で突出壁部３１の内面に垂直方向に並べて配置することができる。このような突出壁部３１に照明システムＳを設けることにより、壁２ｃを照明システムＳにより均一に照らしてその美観を高めることができる。
【００７３】
本発明は前記実施の形態に限定されるものではなく、その要旨を逸脱しない範囲で種々変更可能であることはいうまでもない。
【００７４】
例えば、前記実施の形態においては、三階建て等の工業化住宅に本発明を適用するようにしているが、木造住宅等の他の構成の建物に適用することもできる。また、建物の階層も、二階建てや三階建てに限らず何階建てであってもよい。
【００７５】
また、照明システムＳは、上記の張出し部１０、突出壁部３０、３１の部分に限らず、例えば折上げ天井の外周縁など、建物１の種々の部位に配置することができる。これらの場合、複数の照明器具２０を、垂直方向や水平方向に限らず、任意の方向に並べて配置することができる。
【００７６】
さらに、照明システムＳを構成する複数の照明器具２０として互いに長さが相違するものを用いることもできる。
【産業上の利用可能性】
【００７７】
本発明は、照明システムを備えた建物を建築する際に利用することができる。
【符号の説明】
【００７８】
１      建物
２      一階部分
２ａ    天井面
２ａ１  第１天井面
２ａ２  第２天井面
２ｂ    床面
２ａ３  連結面
２ｃ    壁
３      二階部分
３ａ    天井面
３ａ１  第１天井面
３ａ２  第２天井面
３ａ３  連結面
３ｂ    床面
３ｂ１  第１床面
３ｂ２  第２床面
４      三階部分
４ａ    天井面
４ｂ    床面
４ｂ１  第１床面
４ｂ２  第２床面
５      床スラブ
５ａ    第１スラブ部
５ｂ    第２スラブ部
６      床スラブ
６ａ    第１スラブ部
６ｂ    第２スラブ部
７      吹抜け
１０      張出し部
１０Ａ    第１張出し部
１０Ｂ    第２張出し部
１０ａ    下面
１０ｂ    隠し壁
２０      照明器具
２１      Ｌ字型照明器具
３０、３１  突出壁部
Ｓ      照明システム
【図１】
0006700024.tif 000002
【図２】
0006700024.tif 000003
【図３】
0006700024.tif 000004
【図４】
0006700024.tif 000005
【図５】
0006700024.tif 000006